(57)【特許請求の範囲】
【請求項１】
背当てフレーム部と、前記背当てフレーム部の上部側から後方に伸びる上部フレームと、前記背当てフレーム部の下部側から後方に伸びる下部フレームと、前記上部フレームおよび前記下部フレームの後方端部を連結して配置されたチェンソー取付部とを有することを特徴とする林業用背負具。
【請求項２】
前記チェンソー取付部が、前記上部フレームおよび前記下部フレームを連結する板部材と、チェンソーの刃を支持する刃支持部とを有することを特徴とする請求項１に記載の林業用背負具。
【請求項３】
前記板部材および前記刃支持部が前記チェンソーの前記刃より柔らかい材料で構成されたことを特徴とする請求項２に記載の林業用背負具。
【請求項４】
前記刃支持部が、前記板部材の上部側および下部側に固定され、前記板部材との間に前記チェンソーの前記刃を挿入するための空隙を有する一対の支持具で構成されたことを特徴とする請求項２に記載の林業用背負具。
【請求項５】
前記刃支持部が、前記板部材との間に前記チェンソーの前記刃を挿入するための空隙を有する鞘で構成されたことを特徴とする請求項２に記載の林業用背負具。
【発明の詳細な説明】
【技術分野】
【０００１】
本発明は、森林内で立ち木や木材を切断、搬送などを行うために、作業者が携行するチェンソー、工具類、衛生用具、食料、燃料などを纏めて背負うための林業用背負具に関する。
【背景技術】
【０００２】
従来、林業作業者が林業作業に必要なチェンソー、工具類、燃料、食料、衛生用具などを携行して作業現場に赴く場合、工具類、衛生用具、食料などを収納したバッグや燃料タンクを市販の背負子に固定している。この場合、市販の背負子にはチェンソーを取り付けることができないので、背負子にチェンソーを縛り付けるなどの工夫が必要である。しかし、チェンソーの刃部分はめっき加工されており、この刃部分が背負子のパイプなどの金属に接触すると、刃のめっきがはがれて切れなくなってしまうおそれがある。このため、作業者はチェンソーを直接手で持ちながら携行している。
一方、特定の用途に対応した背負子としては、地震や崖崩れなどの天災、建物の倒壊や交通事故などの人災によって負傷し、自力で歩けなくなった負傷者やペットなどを救助するためのレスキュー用品を運搬するレスキュー用品収納バッグ（たとえば特許文献１参照）や、野外撮影用の背負子として、背負子の上部横桟に軸受を設け、その軸受を支点に一端に脚が組み込まれた横桟を連結して、この横桟にカメラ用雲台取り付け部を取り付けて三脚を背負子と合体させたもの（たとえば特許文献２参照）が提案されている。
【特許文献１】特開２０００−８３７３４号公報
【特許文献２】特開平９−２６０８６号公報
【発明の開示】
【発明が解決しようとする課題】
【０００３】
しかし、作業者がチェンソーを手で持ちながら山中や森林内を歩いて携行すると、歩行路における段差や木の根っ子などに躓いて転倒した場合に、チェンソーにより怪我をしたり、チェンソーの歯をいためたりすることがある。また、すれ違う人にチェンソーが当たって危害を及ぼす危険もある。このため、チェンソーを手に持たずに背負子に取り付けることができる構成が待望されている。
特許文献１による収納バッグはシャベル、ツルハシ、大ハンマー、テコ棒、鋸、ロープなどのレスキュー用品を収納、運搬するものであり、チェンソーのような大重量で特殊な構成および用途の用品を運搬する配慮はなされていないので適当ではない。
特許文献２の背負子は、写真撮影用の三脚を背負子と合体させたもので、三脚の代わりにチェンソーを取り付けることはできず、無理に取り付けたとしてもチェンソーの刃部分が背負子の金属部品に当たらないようにする特別な配慮が必要であるのでやはり不適当である。
【０００４】
そこで本発明は、林業の作業者がチェンソーを手に持たずに、工具類、衛生用具、食料、燃料などとともに背負って携行することができる林業用背負具を提供することを目的とする。
【課題を解決するための手段】
【０００５】
請求項１記載の本発明の林業用背負具は、背当てフレーム部と、前記背当てフレーム部の上部側から後方に伸びる上部フレームと、前記背当てフレーム部の下部側から後方に伸びる下部フレームと、前記上部フレームおよび前記下部フレームの後方端部を連結して配置されたチェンソー取付部とを有することを特徴とする。
請求項２記載の本発明は、請求項１に記載の林業用背負具において、前記チェンソー取付部が、前記上部フレームおよび前記下部フレームを連結する板部材と、チェンソーの刃を支持する刃支持部とを有することを特徴とする。
請求項３記載の本発明は、請求項２に記載の林業用背負具において、前記板部材および前記刃支持部が前記チェンソーの前記刃より柔らかい材料で構成されたことを特徴とする。
請求項４記載の本発明は、請求項２に記載の林業用背負具において、前記刃支持部が、前記板部材の上部側および下部側に固定され、前記板部材との間に前記チェンソーの前記刃を挿入するための空隙を有する一対の支持具で構成されたことを特徴とする。
請求項５記載の本発明は、請求項２に記載の林業用背負具において、前記刃支持部が、前記板部材との間に前記チェンソーの前記刃を挿入するための空隙を有する鞘で構成されたことを特徴とする。
【発明の効果】
【０００６】
本発明によれば、背負具がチェンソーを固定する固定部材を有しており、しかも、この固定部材がチェンソーの刃部分を損傷しない構成であるので、林業の作業者がチェンソーを手に持つことなく、工具類、衛生用具、食料、燃料などの林業作業に必要な用品とともに背負って安全かつ確実に携行することができる。
【発明を実施するための最良の形態】
【０００７】
本発明の第１の実施の形態による林業用背負具は、背当てフレーム部と、背当てフレーム部の上部側から後方に伸びる上部フレームと、下部側から後方に伸びる下部フレームとを有し、これら第１および下部フレームの後方端部をチェンソー取付部で連結したものである。本実施の形態によれば、背負具がチェンソーを取り付ける取付部を有しているので、林業の作業者がチェンソーを手に持つことなく、工具類、衛生用具、食料、燃料などの林業作業に必要な用品とともに背負って安全かつ確実に携行することができる。
本発明の第２の実施の形態は、第１の実施の形態による林業用背負具において、チェンソー取付部が第１および下部フレームを連結する板部材と、チェンソーの刃を支持する刃支持部とで構成したものである。本実施の形態によれば、チェンソー取付部の構成が簡単であり、かつ、第１および下部フレームを連結、固定することができる。
本発明の第３の実施の形態は、第２の実施の形態による林業用背負具において、板部材および刃支持部の材料をチェンソーの刃より柔らかい材料で構成したものである。本実施の形態によれば、チェンソーの刃がチェンソー取付部に接している状態でもチェンソーの刃が損傷することを防止することができる。
本発明の第４の実施の形態は、第２の実施の形態による林業用背負具において、刃支持部を板部材の上部側および下部側に固定された一対の支持具で構成したものである。本実施の形態によれば、刃支持部の構成をきわめて簡単な構造とすることができる。
本発明の第５の実施の形態は、第２の実施の形態による林業用背負具において、刃支持部を鞘で構成したものである。本実施の形態によれば、刃支持部の構成を簡単な構造とするとともに、チェンソーの刃を保護することができる。
【実施例１】
【０００８】
以下、本発明の一実施例を図１から図６に従って説明する。
図１は本発明の実施例１による林業用背負具の全体構成を示す背面図、側面図、及び上面図である。本実施例による林業用背負具１０は、林業用背負具１０を背負ったときに背中に対向する背当てフレーム１１と、背当てフレーム１１の上部側に設けられ、背中から後方に伸びる枠状の上部フレーム１２と、背当てフレーム１１の下部側に設けられ、背中から後方に伸びる枠状の下部フレーム１３とを有している。
背当てフレーム１１は、左右一対の縦フレーム１１１、１１２と、この縦フレーム１１１、１１２を上端部で連結する上部支持フレーム１１３と、縦フレーム１１１、１１２の中央部で連結する中央支持フレーム１１４と、縦フレーム１１１、１１２の下端部で連結する下部支持フレーム１１５とで構成されている。この構成によれば、背当てフレーム１１の構造が簡単で、機械的強度にも優れた構成とすることができる。
下部フレーム１３の外方の角部には、上方に延びる枠状の押えフレーム１４が設けられている。また、支持フレーム１５は、上部フレーム１２の左右のフレーム部に連結している。上部フレーム１２の先端部および支持フレーム１５は、後述するチェンソーの本体を支持する機能を有しており、したがって、上部フレーム１２の先端部および支持フレーム１５は、チェンソーの本体の底部を嵌め込む形状にすることが好ましい。一方、下部フレーム１３には、後述する燃料タンクを収納するために網１６が設けられている。枠状の押えフレーム１４は燃料タンクを押える機能を有している。
背当てフレーム１１、上部フレーム１２、下部フレーム１３、押えフレーム１４および支持フレーム１５は金属パイプで形成される。
【０００９】
上部フレーム１２、下部フレーム１３および押えフレーム１４の後方端部にはチェンソー取付部２０が設けられている。チェンソー取付部２０は、上部フレーム１２、下部フレーム１３および押えフレーム１４を連結する板部材２１と、板部材２１の上部および下部に固定され、板部材２１との間にチェンソーの刃を挿入する空間を有する一対の刃支持部２２、２３とで構成される。板部材２１および刃支持部２２、２３は、チェンソーの刃を傷めないように、チェンソーの刃より柔らかい材料で構成され、たとえばプラスチックスなどで形成されている。なお、チェンソー取付部２０は、チェンソーを支持する以外に、上部フレーム１２および下部フレーム１３同士を固定する機能を有している。
背当てフレーム１１の上部支持フレーム１１３には、林業用背負具１０を背負うための一対のショルダーベルト１７の一端が固定され、ショルダーベルト１７の他端は背当てフレーム１１の下部支持フレーム１１５に固定される。また、背当てフレーム１１の左右一対の縦フレーム１１１、１１２、中央部支持フレーム１１４および下部支持フレーム１１５で囲まれる空間を覆うように背当てパッド１８が設けられる。
【００１０】
図２、図３に、本実施例における林業用背負具１０のチェンソー取付部２０にチェンソー３０を固定したときの様子を示す。チェンソー３０の刃３１は、板部材２１と刃支持部２２の間に差し込まれ、刃３１の先端は板部材２１と刃支持部２３（図示省略）の間に差し込まれる。このとき、チェンソー３０の本体は、上部フレーム１２と支持フレーム１５により支持、固定される。
【００１１】
図４は、本実施例における林業用背負具１０にチェンソー３０以外に運搬する荷物を装着したときの様子を示す。背当てフレーム１１と上部フレーム１２で形成される位置には林業作業用の工具類、衛生用具、食料などを収納したバッグ３５が固定され、背当てフレーム１１、下部フレーム１３および押えフレーム１４で囲まれる空間には、林業作業時の動力源用燃料を充填した燃料タンク３６が収納される。
図４のようにチェンソー３０、収納バッグ３５および燃料タンク３６を固定した林業用背負具１０を作業者が背負ったとき、作業者の背中には背当てパッド１８が当たるので、背当てフレーム１１による衝撃は緩和される。作業者は、この林業用背負具１０を背負って運搬することにより、チェンソー３０を手に持つことなく安全に運搬することができる。
【実施例２】
【００１２】
図５は本発明の実施例２による林業用背負具１０の背面図である。実施例１においては、板部材２１に刃支持部２２、２３を形成して、この刃支持部２２、２３と板部材２１の隙間にチェンソー３０の刃３１を差し込んで支持したが、本実施例においては、刃支持部２２、２３の代わりにチェンソーの刃を収める鞘を形成した実施例である。
図５に示すように、チェンソー取付部２０の板部材２１の表面にチェンソー３０の刃３１を挿入可能な空隙を有する鞘２５を設け、チェンソー３０の刃３１を鞘２５内に差し込む。差し込みが終了すると、チェンソー３０の本体は、上部フレーム１２と支持フレーム１５により支持、固定される。
鞘２５はチェンソー３０の刃３１を傷めないように、たとえばプラスチックスで形成される。
本実施例によれば、チェンソー３０の刃３１が鞘２５に収納されているので、林業用背負具１０を背負って運搬中に、たとえチェンソー３０および鞘２５が樹木や岩などに当たっても、チェンソー３０の刃３１は鞘２５で保護されているために損傷することは無い。
【実施例３】
【００１３】
図６は本発明の実施例３による林業用背負具１０の背面図である。実施例１においては、板部材２１に刃支持部２２、２３を形成して、この刃支持部２２、２３と板部材２１の隙間にチェンソー３０の刃３１を差し込んで支持したが、本実施例においては、刃支持部２２、２３の代わりに開閉自在のカバーを設けた実施例である。
図６に示すように、チェンソー取付部２０の板部材２１にカバー２６を蝶番２７で開閉自在に設ける。カバー２６はチェンソー３０の刃３１を傷めないように、たとえばプラスチックスで形成される。カバー２６を閉じた状態では、カバー２６と板部材２１との間にチェンソー３０の刃３１を挿入するための空隙が形成されている。
チェンソー３０取り付け時に、カバー２６を開いた状態でチェンソー３０を上部フレーム１２と支持フレーム１５により支持させると、チェンソー３０の刃３１は板部材２１に面して配置される。つぎにカバー２６を閉じると、チェンソー３０の刃３１は板部材２１とカバー２６で囲まれて保持される。したがって、チェンソー３０の刃３１はカバー２６で保護される。
本実施例によれば、チェンソー３０の刃３１が板部材２１とカバー２６で囲まれて保護されているので、林業用背負具１０を背負って運搬中に、たとえチェンソー３０および鞘２５が樹木や岩などに当たっても、チェンソー３０の刃３１はカバー２６で保護されているために損傷することは無い。
【産業上の利用可能性】
【００１４】
本発明による林業用背負具は、森林内で立ち木や木材を切断、搬送などを行う林業における作業を行うために作業者が携行するチェンソー、工具類、衛生用具、食料、燃料などの諸道具を運搬するための背負具や背負子に適用して好適である。
【図面の簡単な説明】
【００１５】
【図１】本発明の実施例１による林業用背負具の全体構成を示す背面図、側面図、及び上面図
【図２】本発明の実施例１による林業用背負具にチェンソーを固定したときのチェンソー取付部を示す要部背面図
【図３】本発明の実施例１による林業用背負具にチェンソーを固定したときのチェンソー取付部を示す要部側面図
【図４】本発明の実施例１による林業用背負具にチェンソーおよび運搬荷物を装着したときの背面図
【図５】本発明の実施例２による林業用背負具の背面図
【図６】本発明の実施例３による林業用背負具の背面図
【符号の説明】
【００１６】
１０  林業用背負具
１１  背当てフレーム
１２  上部フレーム
１３  下部フレーム
１４  押えフレーム
１５  支持フレーム
１６  網
１７  ショルダーベルト
２０  チェンソー取付部
２１、２２  刃支持部
２５  鞘
２６  カバー
２７  蝶番
３０  チェンソー
３１  刃
３５  バッグ
３６  燃料タンク
１１１  縦フレーム
１１３  上部支持フレーム
１１４  中央支持フレーム
１１５  下部支持フレーム
【図１】
0004815210.tif 000002
【図２】
0004815210.tif 000003
【図３】
0004815210.tif 000004
【図５】
0004815210.tif 000005
【図６】
0004815210.tif 000006
【図４】
0004815210.tif 000007